(57)【特許請求の範囲】
【請求項１】
流体フローから酸性ガスを除去する方法において、
ａ）  前記流体フローを吸収区域中で、少なくとも１種のアミンの水溶液を有する吸収剤で処理し、
ｂ）  前記処理された流体フローを、少なくとも２つの洗浄区域を通過するように案内し、非酸性の水相で処理して、連行されたアミン及び／又は連行されたアミン分解生成物を少なくとも部分的に、前記水相中へ移行させ、少なくとも１つの洗浄区域を介して水相をリサイクルし、かつ少なくとも１つの洗浄区域を通過するように水相をリサイクルせずに案内し、
第１の洗浄区域は吸収区域の上方に配置されており、第２の洗浄区域は第１の洗浄区域の上方に配置されており、その際、第２の洗浄区域を介して水相はリサイクルされ、第２の洗浄区域を介してリサイクルされた水相の部分流は第１の洗浄区域を通過するように案内され、第１の洗浄区域から流出する水相は前記吸収区域中で前記吸収剤と合一され、第２の洗浄区域を介してリサイクルされる水相を冷却する、流体フローから酸性ガスを除去する方法。
【請求項２】
前記洗浄区域が充填層、規則充填物及び／又はトレーを有する、請求項１記載の方法。
【請求項３】
前記吸収区域が吸収塔中に配置されていて、少なくとも１つの洗浄区域が、前記吸収塔の、前記吸収区域の上方に配置された領域として構成されている、請求項１又は２記載の方法。
【請求項４】
前記吸収区域が吸収塔中に配置されていて、少なくとも１つの洗浄区域が、前記吸収塔とは異なる洗浄塔中に配置されている、請求項１又は２記載の方法。
【請求項５】
供給水を第２の洗浄区域中へ供給する、請求項１から４までのいずれか１項記載の方法。
【請求項６】
負荷された吸収剤をストリッパ中で加熱により、前記吸収剤を部分的に蒸発させながら再生させ、前記酸性ガスを少なくとも部分的に放出させる、請求項１から５までのいずれか１項記載の方法。
【請求項７】
負荷された吸収剤をストリッパ中で加熱により、前記吸収剤を部分的に蒸発させながら再生させ、前記酸性ガスを少なくとも部分的に放出させ、前記放出された酸性ガスを冷却し、連行された水蒸気を少なくとも部分的に凝縮し、凝縮物を少なくとも部分的に供給水として使用する、請求項５記載の方法。
【請求項８】
前記供給水は、少なくとも部分的に新たな水を有する、請求項５記載の方法。
【請求項９】
新たな水の量は吸収剤循環路の水損失量にほぼ一致する、請求項８記載の方法。
【請求項１０】
前記処理された流体フローを引き続き酸性の水溶液で洗浄する、請求項１から９までのいずれか１項記載の方法。
【請求項１１】
前記処理された流体フローを、酸性の水溶液がリサイクルされる洗浄区域を通過するように案内する、請求項１０記載の方法。
【請求項１２】
酸性の水溶液として、二酸化硫黄含有ガスの処理から生じる酸性のプロセス水を使用する、請求項１０又は１１記載の方法。
【請求項１３】
前記アミンは、少なくとも１種の第１級アミン又は第２級アミンを有する、請求項１から１２までのいずれか１項記載の方法。
【請求項１４】
前記アミンは、少なくとも１種のアルカノールアミン及び／又は少なくとも１種のピペラジン誘導体を有する、請求項１から１３までのいずれか１項記載の方法。
【発明の詳細な説明】
【技術分野】
【０００１】
本発明は、流体フローから酸性ガスを除去する方法、例えば煙道ガスから二酸化炭素を除去する方法に関する。
【０００２】
化学工業の数多くのプロセスにおいて、例えばＣＯ2、Ｈ2Ｓ、ＳＯ2、ＣＳ2、ＨＣＮ、ＣＯＳ又はメルカプタンのような酸性ガスを含有する流体フローが生じる。この流体フローは、例えばガスフロー、例えば天然ガス、精油所ガス、合成ガス、煙道ガス又は有機物質の堆肥化の際に生じる排気物質を含む反応ガスであることができる。この流体フローからの酸性ガスの除去は、様々な理由から望ましい。
【０００３】
煙道ガスからの二酸化炭素の除去は、特に、いわゆる温室効果の主因と見なされている二酸化炭素の排出を避けるために用いられる。
【０００４】
合成ガスは、主に一酸化炭素と水とからなる。合成ガスは、一般に炭化水素の部分酸化又は水蒸気改質によって製造される。この粗製合成ガスは、酸性ガス、例えば二酸化炭素、硫化水素又は硫化カルボニルを含み、これらは除去しなければならない。
【０００５】
天然ガス中の酸性ガスの含有量は、適切な処理手段によって、天然ガス源で直接低減される、それというのも、この酸性ガスは、天然ガスにより頻繁に連行される水の中で、腐食性に作用する酸を形成するためである。
【０００６】
工業的規模で、酸性ガス、例えば二酸化炭素を流体フローから除去するために、吸収剤として頻繁に有機塩基、例えばアミン、例えば特にアルカノールアミンの水溶液を使用する。この場合、酸性ガスの溶解の際に、塩基及び酸性ガス成分からイオン性の生成物が生成する。この吸収剤は、加熱、低圧での放圧又はストリッピングにより再生することができ、その際、このイオン性の生成物は反応して酸性ガスに戻るか及び／又は蒸気を用いて酸性ガスをストリッピング除去することができる。この再生プロセスの後に、吸着剤は再使用することができる。
【０００７】
これらのアミンは、ただし無視できないほどの蒸気圧を有する。従って、酸素ガス不含の流体フローは微量のアミンを含有する。処理された流体フローの汚染は、様々な理由から望ましくない。処理された煙道ガスと一緒に微量のアミンが環境に漏れ出る場合にはこれは不都合である。
【０００８】
合成ガスは他の触媒反応の出発材料である。この場合、微量のアミンは触媒として作用することがある。
【０００９】
天然ガス又は天然ガスから液化により製造されるＬＰＧ（液化石油ガス）中のアミン含有量は同様に、制限が課せられることがある。
【００１０】
先行技術の場合には、連行されるアミンを少なくとも部分的に水相中へ移行させるために、処理される流体フローを水相で洗浄することが提案された。
【００１１】
ＥＰ０７９８０２９Ａ２は、二酸化炭素の吸収のために塩基性アミン化合物を用いてガスを処理し、次いで、処理されたガスを、２０〜６０℃で水相と接触させ、連行された塩基性アミンを少なくとも部分的にこの水相内へ移行させる方法を開示している。この水相は好ましくは再生塔中に放出された二酸化炭素から凝縮された凝縮物であるべきである。
【００１２】
ＵＳ２００８／０１５９９３７からは、ガスフローから二酸化炭素を除去する方法が明らかになっており、この場合、二酸化炭素が低減されたガスフローは吸収塔中の充填物部分中で水で洗浄される。水は再生塔の塔頂からの凝縮物であるか、又は損失量を補償するための新たな水であることができる。
【００１３】
再生塔中に放出された二酸化炭素から凝縮された凝縮物を洗浄水として使用することは、吸収剤循環路の水収支に悪い影響を与えないという利点がある。他方で、この凝縮物は、限定された量で提供されるだけである。吸収剤を希釈させず、かつ方法中で水を蓄積させるために、新たな水を洗浄水として限定された量でのみ使用できる。この供給されるべき新たな水の量は、導入される流体フローと搬出されるフローとの含水量の差から生じる。図１中で示された配置について、例えば導入されるフロー１及び搬出される２つのフロー２１及び２５とは水収支の関係にある。損失量を補償するために必要な新たな水は、メークアップ水（図１中ではフロー１１）ともいわれる。これらの搬出されるフローは水蒸気で飽和されている。導入される流体フローの含水量は、多様な条件に依存する。導入される、水で飽和された流体フローの場合、提供されるメークアップフローは、吸収と再生との間の圧力差が僅かになると共に減少する。従って、特に、吸収圧力がほぼ大気圧である煙道ガス洗浄の場合には、メークアップ水の提供される量は限られる。
【００１４】
制限された洗浄水量でも十分な洗浄作用を達成するために、洗浄水を、単流で洗浄区域を通過させるのではなく、洗浄水をポンプ循環させるか又はリサイクルし、つまり、洗浄区域の下方で集めて洗浄区域の上方に再び供給することが提案される。任意に、洗浄水はこの場合に付加的な冷却器を介して導くこともできる。この冷却によって、処理される流体フローから水が凝縮される。洗浄水循環路中で洗浄される吸収剤成分の蓄積を防ぐために、洗浄水の部分量を搬出させ、メークアップ水に置き換える。洗浄水循環路から搬出される水は、通常では吸収剤循環路に導入される。
【００１５】
２００３年５月５〜８日の、ＵＳＡ、Alexandria VAでのSecond National Conference on Carbon Sequestration, National Energy Technology Department of Energyで発表されたSatish Reddy et al.のFluor's Econamine FG PlusSM Technologyは、ポンプ循環された洗浄水を用いる洗浄区域を備えたガス洗浄法の一般的な実施形態である。
【００１６】
洗浄水のリサイクル及び任意な冷却により、洗浄作用を高めることができる。リサイクルされた洗浄水のメークアップ水に対する通常の体積比率は、１０〜５００の間である。このリサイクルによって、もちろん洗浄水のバックミキシングが生じる。リサイクルされる洗浄水のメークアップ水に対する極めて高い体積比率では、洗浄区域中での接触区間の長さに無関係に、この洗浄区域中で理論段の効率を最大に達することができるだけである。
【００１７】
ＷＯ２０１０／１０２８７７は、二酸化炭素について低減されたガスフローを酸性水溶液で洗浄し、その中に含まれるアミン及び塩基性分解生成物の量を低減させる方法を記載している。二酸化炭素吸収区域と酸性洗浄との間に、水を用いた洗浄を設けることができる。
【００１８】
本発明の基礎をなす課題は、処理された流体フローからアミンのより効率的な保持が可能な、流体フローから酸性ガスを除去する、特に煙道ガスから二酸化炭素を除去する方法を提供することである。
【００１９】
本発明は、流体フローから酸性ガスを除去するにあたり、
ａ）  前記流体フローを吸収区域中で、少なくとも１種のアミンの水溶液を有する吸収剤で処理し、
ｂ）  前記処理された流体フローを、少なくとも２つの洗浄区域を通過するように案内し、非酸性の水相で処理して、連行されたアミン及び／又は連行されたアミン分解生成物を少なくとも部分的に、前記水相中へ移行させ、少なくとも１つの洗浄区域を介して水相をリサイクルし、少なくとも１つの洗浄区域を通過するように水相をリサイクルせずに案内する、
流体フローから酸性ガスを除去する方法を提供することである。
【図面の簡単な説明】
【００２０】
【図１】先行技術による、処理されるガスから連行された吸収液体を洗い出すための洗浄区域を備えた、ガスフローから酸性ガスを除去するための装置を示す。
【図２】本発明による方法を実施するために適した、ガスフローから酸性ガスを除去するための装置を示す。
【図３】本発明による方法の他の実施態様を実施するために適した、ガスフローから酸性ガスを除去するための装置を示す。
【００２１】
この処理された流体フローを非酸性の液状の水相で処理して、連行されたアミン及び／又は連行されたアミン分解生成物を少なくとも部分的にこの水相中へ移行させる。換言すると、この流体フロー中へ入り込んだアミンはこの流体フローから再び洗い出される。この洗浄の際に、アミン分解生成物、例えばニトロソアミン又はアンモニアも、処理された流体フローから洗い出される。
【００２２】
非酸性の水相として特に水自体が適している。この方法の実施の際に、他の複数の成分、例えばアミン及びアミン分解生成物は水相に移行することがありえるため、非酸性の水相は一般に程度に差はあるが水とは異なる成分を含有すると解釈される。この非酸性の水相は中性であるかもしくは連行されたアミン成分に基づいて僅かに塩基性である。一般に、この非酸性の水相のｐＨ値は、７〜１１、好ましくは８〜１０である。
【００２３】
洗浄区域中では、処理された流体フローに対してこの非酸性の水相は向流で案内される。好ましくは、この洗浄区域は、この流体フローと非酸性の水相との接触を強化するために、充填層、規則充填物及び／又はトレーを有する。この非酸性の水相は、洗浄区域の上方で、適切な液体分配器によって洗浄区域の横断面にわたって分配させることができる。
【００２４】
吸収塔の領域は吸収区域と見なされ、この吸収塔中でこの流体フローは吸収剤と物質交換が行われるように接触される。
【００２５】
好ましい実施態様の場合には、少なくとも１つの洗浄区域が吸収区域の上方に配置された吸収塔の領域として構成されている。好ましくは、非酸性の水相を用いた処理のための全ての洗浄区域は、吸収塔の吸収区域の上方に配置された領域として構成されている。この洗浄区域は、このために逆洗浄区域又は濃縮部として構成された、吸収塔の、吸収剤を供給口の上側の部分である。
【００２６】
他の実施態様の場合には、少なくとも１つの洗浄区域は、吸収塔とは異なる洗浄塔、例えば充填層を備えた塔、規則充填物を備えた塔及び段塔中に配置され、この塔内で処理された流体フローは非酸性の水相で洗浄される。
【００２７】
本発明の場合には、少なくとも１つの洗浄区域を介して非酸性の水相をリサイクルする。このために、この非酸性の水相は、この洗浄区域の下方で、例えば適切な捕集トレーを用いて集められ、ポンプによって洗浄塔の上端に供給される。好ましい実施態様の場合に、リサイクルされる非酸性の水相は、好ましくは２０〜７０℃の温度、特に３０〜６０℃の温度に冷却される。このために、非酸性の水相は好ましくは冷却器を介してポンプ循環される。洗い出された吸収剤成分が洗浄水循環路中に蓄積されることを避けるために、好ましくは非酸性の水相の部分流を排出し、供給水に置き換える。
【００２８】
少なくとも１つの洗浄区域を通して非酸性の水相はリサイクルせずに案内され、つまり、この非酸性の水相は処理される流体フローに対して向流で、洗浄区域を単流で流通する。
【００２９】
好ましい実施態様の場合に、第１の洗浄区域は吸収区域の上方に配置されており、第２の洗浄区域は第１の洗浄区域の上方に配置されており、その際、第２の洗浄区域を介して非酸性の水相はリサイクルされ、第２の洗浄区域を介してリサイクルされる非酸性の水相の部分量は、第１の洗浄区域を通過するように案内され、第１の洗浄区域から流出する非酸性の水相は吸収区域中で吸収剤と合一される。好ましい実施態様の場合に、第２の洗浄区域を介してリサイクルされた非酸性の水相は、好ましくは２０〜７０℃の温度、特に３０〜６０℃の温度に冷却される。このために、非酸性の水相は好ましくは冷却器を介してポンプ循環される。好ましくは、この部分流の体積を置き換えるために、供給水が第２の洗浄区域に供給される。
【００３０】
他の実施態様の場合には、第１の洗浄区域は吸収区域の上方に配置されおり、第２の洗浄区域は第１の洗浄区域の上方に配置されており、その際、第１の洗浄区域を介して非酸性の水相はリサイクルされ、第２の洗浄区域に供給水が供給され、この供給水は、第２の洗浄区域を通過するように案内され、非酸性の水相と第１の洗浄区域中で合一される。好ましくは、リサイクルされた非酸性の水相の部分流は除去され、この部分流は好ましくは吸収剤循環路中へ導入される。この実施態様は一般にはあまり好ましくはない、それというのも、第２の洗浄区域は供給水だけで運転され、洗浄を機能させるために、例えば洗浄区域中の組込部材の濡らすために必要となる、水相についての水力的な必要量を下回ることがありえるためである。
【００３１】
この供給水は少なくとも部分的に、再生の際に、例えばストリッパ中で放出される酸性ガスから凝縮される凝縮物を有することができる。この凝縮物を供給水として使用することは、この供給水が吸収剤循環路の水収支に悪い影響を及ぼさないという利点を有する。他方で、この凝縮物は、ストリッパ中の条件に依存して吸収剤からのアミンを含有することができるので、この凝縮物の洗浄効果は制限され、処理される流体フロー中の極めて低いアミン濃度を達成することはできない。従って、供給水として凝縮物を（もっぱら）使用することは、一般に好ましくない。
【００３２】
好ましくは、供給水は少なくとも部分的に新たな水を含む。水、例えば高熱蒸気凝縮物は新たな水と見なされ、この新たな水は、有意な量のアミン、アミン分解生成物又は他の吸収剤成分を含有しない。吸収剤循環路の水収支に悪影響を及ぼさず、水の蓄積を防ぐために、好ましくは新たな水の量は、主に吸収剤循環路中での水損失量（メークアップ水）に一致する。
【００３３】
処理される流体フローの本発明による洗浄は、連行されるアミン及び／又は連行されるアミン分解生成物の主要量の除去を可能にする。連行される最終的な微量アミンの除去及び／又は高い蒸気圧を有する塩基性アミン分解生成物の除去のために、処理される流体フローの十分な精製は、処理される流体フローを引き続き酸性の水溶液で洗浄する本発明による実施態様で達成される。このために、処理される流体フローは、酸性の水溶液がリサイクルされる洗浄区域を通過するように案内され、好ましくは洗浄塔、例えば充填層を備えた塔、規則充填物を備えた塔、段塔中へ案内される。これらの酸は、連行された微量アミン又はアミン分解生成物をプロトン化し、その蒸気圧を著しく低下させる。このプロトン化された化合物は、その塩状の特性に基づき、水相に容易に移行される。
【００３４】
酸としては、無機酸又は有機酸、例えば硫酸、亜硫酸、リン酸、硝酸、酢酸、ギ酸、炭酸、クエン酸などが適している。好ましくは使用される酸は−４〜７のｐＫｓ値を有する。酸性の水溶液の好ましいｐＨ値は３〜７、特に４〜６である。
【００３５】
酸性の水溶液として、特に酸性のプロセス水が適している。この種の酸性のプロセス水は、特に二酸化硫黄含有ガスの処理の際に、例えばＳＯ2予備精製工程において生じる。二酸化硫黄含有ガスの冷却もしくは予備洗浄の際に、酸性の凝縮物が得られ、これを酸性のプロセス水として使用することができる。
【００３６】
酸性の水溶液中へのアミン及び／又はアミン分解生成物の吸収により、酸性の水溶液中でのアミン及び／又はアミン分解生成物の濃度は上昇する。酸性の水溶液中に溶解した塩の高すぎる濃度を避けるために、好ましくは、酸性の水溶液の部分流を排出し、これを新たな酸性の水溶液と置き換える。排出された部分流から、アミン又はアミン分解生成物、例えばアンモニアを少なくとも部分的に回収することができる。このために、この排出された水溶液を、アルカリ、例えば水酸化ナトリウムで処理することができ、その際、アミン又はアミン分解生成物が遊離される。
【００３７】
これとは別に、この排出された水溶液を廃棄するか、又は排水処理に供給することもできる。
【００３８】
吸収剤を用いた処理の前に、この流体フローを冷却しかつ湿らせる（クエンチング）ために、この流体フロー、例えば煙道ガスは、好ましくは水性の液体、特に水を用いた洗浄に供される。この洗浄の際に、粉塵又はガス状の不純物、例えば二酸化硫黄も除去することができる。二酸化硫黄含有ガスの処理の際に、上述の酸性の水溶液として使用することができるような酸性のプロセス水が得られる。
【００３９】
流体フローの吸収剤での処理は、吸収塔又は吸収カラム、例えば充填層を備えた塔、規則充填物を備えた塔及び段塔中で行われる。この流体フローの吸収剤での処理は、好ましくは吸収塔中で向流で行われる。この流体フローは、この場合、一般に、この塔の下側の領域に供給され、吸収剤はこの塔の上側の領域に供給される。
【００４０】
吸収剤の温度は、吸収工程中では一般に約２０〜９０℃、塔の使用の場合には、例えば塔頂で２０〜６０℃であり、かつ塔底で３０〜９０℃である。酸性のガス成分が少ない、つまりこれらの成分の濃度が低い流体フローと、酸性のガス成分が負荷された吸収剤とが生じる。
【００４１】
酸性のガス成分が負荷された吸収剤から、再生工程において、二酸化炭素及び他の酸性ガスを放出させ、その際、再生された吸収剤を得ることができる。この再生工程において吸収剤の負荷が低減され、得られた再生された吸収液体は、好ましくは引き続き吸収工程に返送される。
【００４２】
一般に、この負荷された吸収液体は、例えば７０〜１３０℃に加熱、放圧、不活性流体でのストリッピング又はこれらの２つ又は全ての処置の組合せによって再生される。好ましくは、この負荷された吸収液体はストリッパ中で再生される。ストリッピングのために必要なストリッピングガスは、ストリッパの底部で吸収液体の部分的蒸発によって作成される。
【００４３】
再生された吸収剤を再び吸収塔に供給する前に、この吸収剤は適切な吸収温度に冷却される。再生された熱い吸収剤中に含まれるエネルギーを利用するために、吸収装置から生じる負荷された吸収剤を間接的な熱交換器を通して再生された熱い吸収剤で予熱するのが好ましい。この熱交換により、負荷された吸収剤はより高い温度にもたらされるので、再生工程において僅かなエネルギー導入が必要なだけである。この熱交換により、既に、二酸化炭素を放出させながら、負荷された吸収剤の部分的な再生を行うこともできる。
【００４４】
吸収剤は、少なくとも１つのアミンを有する。好ましくは、このアミンは少なくとも第１級アミン又は第２級アミンを有する。
【００４５】
好ましいアミンは次のものである：
（ｉ）  式Ｉのアミン
ＮＲ1（Ｒ2）2  （Ｉ）
式中、Ｒ1はＣ2〜Ｃ6−ヒドロキシアルキル基、Ｃ1〜Ｃ6−アルコキシ−Ｃ2〜Ｃ6−アルキル基、ヒドロキシ−Ｃ1〜Ｃ6−アルコキシ−Ｃ2〜Ｃ6−アルキル基及び１−ピペラジニル−Ｃ2〜Ｃ6−アルキル基から選択され、Ｒ2は、独立して、Ｈ、Ｃ1〜Ｃ6−アルキル基及びＣ2〜Ｃ6−ヒドロキシアルキル基から選択される；
（ｉｉ）  式ＩＩのアミン
Ｒ3Ｒ4Ｎ−Ｘ−ＮＲ5Ｒ6  （ＩＩ）
式中、Ｒ3、Ｒ4、Ｒ5及びＲ6は、相互に独立して、Ｈ、Ｃ1〜Ｃ6−アルキル基、Ｃ2〜Ｃ6−ヒドロキシアルキル基、Ｃ1〜Ｃ6−アルコキシ−Ｃ2〜Ｃ6−アルキル基及びＣ2〜Ｃ6−アミノアルキル基から選択され、Ｘは、Ｃ2〜Ｃ6−アルキレン基、−Ｘ1−ＮＲ7−Ｘ2−又は−Ｘ1−Ｏ−Ｘ2−を表し、その際、Ｘ1及びＸ2は、相互に独立して、Ｃ2〜Ｃ6−アルキレン基を表し、Ｒ7は、Ｈ、Ｃ1〜Ｃ6−アルキル基、Ｃ2〜Ｃ6−ヒドロキシアルキル基又はＣ2〜Ｃ6−アミノアルキル基を表す；
（ｉｉｉ）  環中に少なくとも１つの窒素原子を有し、窒素及び酸素から選択される１つ又は２つの更なるヘテロ原子が環中に含まれていてもよい５〜７員の飽和複素環式化合物、及び
（ｉｖ）  これらの混合物。
【００４６】
特別な例は次のものである：
（ｉ）  ２−アミノエタノール（モノエタノールアミン）、２−（メチルアミノ）エタノール、２−（エチルアミノ）−エタノール、２−（ｎ−ブチルアミノ）エタノール、２−アミノ−２−メチルプロパノール、Ｎ−（２−アミノエチル）−ピペラジン、メチルジエタノールアミン、エチルジエタノールアミン、ジメチルアミノプロパノール、ｔ−ブチルアミノエトキシエタノール、２−アミノメチルプロパノール；
（ｉｉ）  ３−メチルアミノプロピルアミン、エチレンジアミン、ジエチレントリアミン、トリエチレンテトラアミン、２，２−ジメチル−１，３−ジアミノプロパン、ヘキサメチレンジアミン、１，４−ジアミノブタン、３，３−イミノビスプロピルアミン、トリス（２−アミノエチル）アミン、ビス（３−ジメチルアミノ−プロピル）アミン、テトラ−メチルヘキサメチレンジアミン；
（ｉｉｉ）  ピペラジン、２−メチルピペラジン、Ｎ−メチルピペラジン、１−ヒドロキシエチル−ピペラジン、１，４−ビス−ヒドロキシエチル−ピペラジン、４−ヒドロキシエチル−ピペリジン、ホモピペラジン、ピペリジン、２−ヒドロキシエチルピペリジン及びモルホリン；及び
（ｉｖ）  これらの混合物。
【００４７】
この中で、モノエタノールアミン、ピペラジン、メチルアミノプロピルアミン、ジエタノールアミン、１−ヒドロキシエチル−ピペラジンが特に好ましい。
【００４８】
一般に、吸収剤は、１０〜６０質量％アミンを有する。
【００４９】
この吸収液体は、添加剤、例えば腐食防止剤、酵素などを含有してもよい。一般に、この種の添加剤の量は、吸収液体の約０．０１〜３質量％の範囲内にある。
【００５０】
本発明の方法は、流体フロー、特に全ての種類のガスフローの処理のために適している。酸性ガスとは、特にＣＯ2、Ｈ2Ｓ、ＣＯＳ及びメルカプタンである。更に、ＳＯ3，ＳＯ2、ＣＳ2及びＨＣＮも除去することができる。一般に、この酸性ガスは、少なくともＣＯ2を含むか、又はもっぱらＣＯ2からなる。
【００５１】
酸性ガスを含む流体は、一方で、ガス、例えば天然ガス、合成ガス、コークス炉ガス、分解ガス、石炭ガス化ガス、循環ガス、集積所ガス及び燃焼ガスであり、他方で吸収剤と、ほとんど混合不能な液体、例えばＬＰＧ（Liquefied Petroleum Gas）又はＮＧＬ（Natural Gas Liquids）である。
【００５２】
好ましい実施態様の場合に、この流体フローは、次のものである：
（ｉ）  水素含有の流体フロー；これには、例えば石炭ガス化又は蒸気改質により製造可能でありかつ場合により水性ガスシフト反応に供せられる合成ガスが数えられ；この合成ガスは、例えばアンモニア、メタノール、ホルムアルデヒド、酢酸、尿素の製造のため、フィッシャー・トロプシュ合成のため、又は石炭ガス化複合発電（ＩＧＣＣ）プロセスにおけるエネルギー獲得のために使用される；
（ｉｉ）  炭化水素含有の流体フロー；これには、天然ガス、多様な精製プロセスの排ガス、例えばテールガスユニット（ＴＧＵ）、ビスブレーキング装置（ＶＤＵ）、接触分解装置（ＬＲＣＵ／ＦＣＣ）、水素化分解装置（ＨＣＵ）、水素化処理装置（ＨＤＳ／ＨＴＵ）、コーキング装置（ＤＣＵ）、大気圧蒸留（ＣＤＵ）又は液体処理装置（例えばＬＰＧ）の排ガスが数えられる。
【００５３】
本発明による方法又は吸収剤は、酸素含有の流体フロー、例えば煙道ガスの処理のために適している。
【００５４】
好ましい実施態様の場合に、酸素含有の流体フローは、
ａ）  有機物質の酸化、
ｂ）  有機物質を含む廃棄物の堆肥化又は貯蔵、又は
ｃ）  有機物質の細菌による分解
から由来する。
【００５５】
いくつかの実施態様の場合に、流体フロー中の二酸化炭素の分圧は、５００ｍｂａｒ未満であり、例えば３０〜１５０ｍｂａｒである。
【００５６】
この酸化は、火炎現象のもとで、例えば慣用の燃焼として、又は火炎現象なしの酸化として、例えば接触酸化又は接触部分酸化の形で実施することができる。燃焼が行われる有機物質は、通常では化石燃料、例えば石炭、天然ガス、石油、ガソリン、ディーゼル、ラフィネート又はケロシン、バイオディーゼル又は有機物質を含む廃棄物である。接触（部分）酸化の出発材料は、例えばギ酸又はホルムアルデヒドに反応させることができるメタノール又はメタンである。
【００５７】
酸化、堆肥化又は貯蔵が行われる廃棄物は、一般に家庭ゴミ、プラスチック廃棄物又は包装ゴミである。
【００５８】
有機物質の燃焼は、大抵は通常の燃焼装置中で空気を用いて行う。有機物質を含む廃棄物の堆肥化及び貯蔵は、一般にゴミ集積場で行われる。この種の装置の排ガス又は排気は、好ましくは本発明による方法により処理することができる。
【００５９】
細菌による分解のための有機物質として、通常では、敷き藁、藁、水肥、汚泥、発酵残渣、サイレージなどが使用される。細菌による分解は、例えば通常のバイオガス装置中で行われる。この種の装置の排気は、好ましくは本発明による方法により処理することができる。
【００６０】
この方法は、有機物質の（部分）酸化を用いる燃料電池セル及び化学的合成装置の排ガスの処理のためにも適している。
【００６１】
上記の生成ａ）、ｂ）又はｃ）の流体フローは、例えば周囲空気の圧力にほぼ一致する圧力、つまり常圧を有するか、又は常圧とは１ｂａｒまで異なる圧力を有することができる。
【００６２】
本発明は、添付された図面により及び次の実施例により詳細に説明される。
【００６３】
図１は、先行技術による、処理されるガスから連行された吸収液体を洗い出すための洗浄区域を備えた、ガスフローから酸性ガスを除去するための装置を示す。
【００６４】
図２は、本発明による方法を実施するために適した、ガスフローから酸性ガスを除去するための装置を示す。
【００６５】
図３は、本発明による方法の他の実施態様を実施するために適した、ガスフローから酸性ガスを除去するための装置を示す。
【００６６】
図１によるとガスフロー１は吸収塔２の下側部分に導入される。この吸収塔２は、吸収区域３，４及び洗浄区域５を有する。吸収区域３，４では、ガスは向流で吸収剤と接触し、この吸収剤は導管７を介してこれらの吸収区域の上方で吸収塔２内へ導入される。酸性ガスが減らされたガスは、洗浄区域５内で水相で洗浄され、この水相はポンプ８、冷却器９及び導管１０を介してリサイクルされる。導管１１を介して、損失量を補償するための新たな水（メークアップ水）が洗浄区域５に供給される。この洗浄区域５中で、水蒸気飽和された処理されたガスは同時に冷却され、それにより水は凝縮される。凝縮された水及びメークアップ水によって、洗浄循環路に液体が供給される。この洗浄循環路からの過剰の液相は導管１２を介して吸収剤循環路内へ導入される。それにより、処理された煙道ガスから洗い出された吸収剤成分が洗浄水循環路中で蓄積されることは防止される。この処理されたガスフローは、吸収塔２から導管２５を介して排出される。
【００６７】
二酸化炭素で負荷された吸収剤は、吸収塔２の底部から取り出され、ポンプ１３、熱交換器１４及び導管１５を介してストリッパ１６中へ供給される。このストリッパ１６の下方の部分で、負荷された吸収剤は蒸発器１７を介して加熱され、部分的に蒸発させられる。この温度上昇により、吸収された二酸化炭素の一部は再び気相へ移行する。この気相１８はストリッパ１６の頂部から搬出され、凝縮器１９に供給される。この凝縮物は相分離容器２０中で集められ、ストリッパ１６内へ戻される。ガス状の二酸化炭素は、フロー２１として取り出される。再生された吸収剤２２は、熱交換器１４、ポンプ２３、冷却器２４及び導管７を介して吸収塔２に再び戻される。
【００６８】
図２では、図１と同じ符号は図１と同じ意味を有する。この吸収塔２は、２つの洗浄区域５，６を有する。酸性ガスが減らされたガスは、洗浄区域６内で水相で洗浄され、この水相は導管２６を介して洗浄区域６の上方に供給される。引き続き、この処理されたガスは洗浄区域５を通過し、水相で洗浄され、この水相はポンプ８、冷却器９及び導管１０を介してリサイクルされる。導管１１を介して、損失量を補償するための新たな水（メークアップ水）が洗浄区域５に供給される。洗浄水循環路からの過剰な液相は、吸収剤循環路中へ直接導入されず、導管２６を介して洗浄区域６の上方に供給される。洗浄区域６から排出される水相は、この吸収塔２の内部で吸収区域３中へ入り込む。
【００６９】
図３は、本発明の他の実施態様を示す。図３では、図２と同じ符号は図２と同じ意味を有する。吸収塔２から搬出される処理されたガスは、導管３３を介して洗浄塔２７に供給され、酸性の水溶液で洗浄され、この酸性の水溶液はポンプ２８及び導管２９を介してポンプ循環させられる。使われた酸性の水溶液は導管３２を介して搬出される。新たな酸性の水溶液は導管３０を介して供給される。この処理されたガスは、この装置から導管３１を介して排出される。
【００７０】
比較例１
図１による装置を使用した。この吸収塔は、直径６００ｍｍを有し、組込構造体として比表面積２５０ｍ2／ｍ3の構造化された充填物を使用した。この吸収剤の供給部の上方に、リサイクル部及び冷却部を備えた水洗浄のための洗浄区域が設置されていた。この洗浄区域の床の高さは３ｍであった。
【００７１】
３２質量％のモノエタノールアミンの水溶液を、塩基性吸収剤として使用し、これを４０℃で供給した。この吸収塔には、４０℃の温度及び含水率３．６体積％及びＣＯ2含有率１４．０体積％の煙道ガス（１５６３ｋｇ／ｈ）を供給した。この装置中で、供給されたＣＯ2の９０％が分離された。ポンプ循環された洗浄水の量は５５００ｋｇ／ｈであり、この洗浄水は４１℃に冷却された。メークアップ水をこの装置に３４ｋｇ／ｈで供給した。吸収セクションの上方のガスの温度は６７℃であり、水洗浄によって４１℃に冷却された。
【００７２】
洗浄水中のモノエタノールアミンの含有率をガスクロマトグラフィーにより測定し、これは０．８質量％であった。
【００７３】
実施例２
図２による装置を使用した。吸収剤の供給部の上方に、４．５ｍの高さの第１の洗浄区域（リサイクル無し）が設置され、この第１の洗浄区域の上方に、３ｍの高さの第２の洗浄区域がリサイクル部及び冷却部を備えた洗浄のために設置された。
【００７４】
煙道ガスの量は１５４０ｋｇ／ｈであり、含水率３．６体積％で、ＣＯ2含有率１４体積％を有し、比較例１と同様に９０％が分離された。吸水剤中のモノエタノールアミンの含有率は２７質量％であった。第２の洗浄区域中では５０００ｋｇ／ｈの洗浄水が循環され、この場合、３９℃に冷却された。メークアップ水をこの第２の洗浄区域に２８ｋｇ／ｈで供給した。この第２の洗浄区域中でのガスの冷却（６３．５℃から３９℃に）により、付加的に水が凝縮した。１８８ｋｇ／ｈの水の体積フローが、第１の洗浄区域中へ導入された。
【００７５】
この構成で、ガスクロマトグラフィーを用いて、リサイクルされた洗浄水中にモノエタノールアミンは検出できなかった。この検出限界は、０．０１質量％であった。
【００７６】
リサイクルされる洗浄水中のモノエタノールアミンに関する多様な含有率は、処理される流体フロー中のモノエタノールアミンの相応する含有率で校正する、つまり吸収塔から出る処理される流体フローは、実施例２中では、比較例１の場合よりも明らかに低いモノエタノールアミンを含有していた。
【００７７】
シミュレーションモデルを用いて、両方の構造（比較例１及び実施例２）について計算を実施した。このシミュレーションモデルの基礎は、Chen et al. (Chen, C.C; Evans, L.B.: A local Composition Model for the Excess Gibbs Energy of Aqueous Electrolyte Solutions, AIChE J. (1986) 32(3), 444)によるElectrolyte-NRTLアプローチに基づく熱力学的モデルであり、このモデルを用いて、この系についての相平衡を記載することができる。この吸収工程のシミュレーションは、物質移行に基づくアプローチを用いて記載される；これについての詳細は、Asprion（Asprion, N.: Nonequilibrium Rate-Based Simulation of Reactive Systems: Simulation Model, Heat Transfer, and Influence of Film Discreti-zation,; Ind. Eng. Chem. Res. (2006) 45(6), 2054-2069）に記載されている。
【００７８】
比較例３
この実施例は比較例１の装置構造に基づく。この吸収塔は、幾何学的表面積２５０ｍ2／ｍ3の構造化された充填物が取り付けられ、かつ直径６００ｍｍを有する。リサイクル部及び冷却部を有する洗浄区域は、３ｍの充填物高さを有する。
【００７９】
このシミュレーションは次の値を基礎とする：ＣＯ2  １４体積％及び水３．６体積％、酸素５．５体積％及び窒素７６．９体積％の組成を有する煙道ガス１５４０ｋｇ／ｈを、４０℃で吸収塔に供給する。ここでは向流で、２９．３質量％のモノエタノールアミン水溶液を用いて、二酸化炭素の９０％が分離される。この再生された吸収剤は４０℃の温度で供給される。このリサイクルされた洗浄水は４０℃に冷却される。メークアップ水については３８ｋｇ／ｈが必要となる。この構造によって、水洗浄の搬出物で５ｖ−ｐｐｍのＭＥＡの残留含有量が計算される。
【００８０】
実施例４
この実施例は実施例２の装置構造に基づく。吸収剤の供給部の上方に、４．５ｍの高さの第１の洗浄区域（リサイクル無し）が設置され、この第１の洗浄区域の上方に、３ｍの高さの第２の洗浄区域がリサイクル部及び冷却部を備えた洗浄のために設置された。
【００８１】
第１の洗浄区域に、ガスに対して向流で、洗浄水２０９ｋｇ／ｈを供給し、この量は、第２の洗浄区域で供給されたメークアップ水と、ガスの冷却によって凝縮した水との量に相当する。従って、搬出されるガス中のモノエタノールアミン含有量４０ｖ−ｐｐｂが達成される。第１の洗浄区域中の液負荷は０．７ｍ3／（ｍ2ｈ）であり、構造化された充填物の濡れ限界（Entnetzungsgrenze）（製造元の記載：０．２ｍ3／（ｍ2ｈ）；出典：Sulzerカタログ）上廻る。
【００８２】
実施例５
実施例４の装置構造で洗浄区域を交換する。吸収剤の供給部の上方に、リサイクル部及び冷却部を備えた３ｍの高さの第１の洗浄区域が存在し、この第１の洗浄区域の上方に、３ｍの高さの第２の洗浄区域（リサイクル無し）が存在する。ＣＯ2貧有のガスはまず第１の洗浄区域を通過するように通され、引き続きメークアップ水に対して向流で第２の洗浄区域を通過するように通される。この第２の洗浄区域について、０．１ｍ3／（ｍ2ｈ）の液負荷が生じるだけである。この液負荷は、使用した充填物の濡れ限界を下回り、十分な濡れもしくは均質な濡れを、従ってそれにより十分な分離効率を補償することができない。
【図１】
0005805296.tif 000002
【図２】
0005805296.tif 000003
【図３】
0005805296.tif 000004